(57)【要約】【課題】所定の基本色に非基本色を加えた色表現で使用される、色についての調整処理が容易な色変換定義を作成することができる色変換定義作成装置と色変換定義作成プログラムを提供する。【解決手段】ＣＭＹＫＯ色空間からＬａｂ色空間への色変換を定義したＣＭＹＫＯ−Ｌａｂ色変換定義を取得する基準定義取得部３１０と、Ｌａｂ色空間上で出発座標を決定し、Ｋ座標成分も決定する出発決定部３２０と、出発決定部３２０で決定された座標成分に制限された下で色変換によって出発座標に写像され得るＯ座標成分の最小値を求める非基本成分算出部３３０と、ＣＭＹ３色それぞれの座標成分を、出発座標と、非基本成分算出部３３０で算出された座標成分と、基準定義取得部３１０で取得されたＣＭＹＫＯ−Ｌａｂ色変換定義とに基いて算出することによって、出発座標に対応するＣＭＹＫＯ色空間の座標を得る対応算出部３４０とを備えた。【選択図】        図６
2007324860.tif 000002
【特許請求の範囲】
【請求項１】
３つの座標軸を有する第１色空間から、３つの所定座標軸を含む３つ以上の基本座標軸と１つ以上の非基本座標軸とを有する第２色空間への色変換を定義する色変換定義を作成する色変換定義作成装置において、
前記第２色空間から前記第１色空間への色変換を定義した基準定義を取得する基準定義取得部と、
前記第１色空間上で出発座標を決定し、前記基本座標軸が前記所定座標軸以外の座標軸を含む場合には、その座標軸の座標成分も決定する出発決定部と、
前記出発決定部で決定された座標成分に制限された下で前記基準定義に従った色変換によって前記出発座標に写像され得る前記第２色空間の非基本座標軸の座標成分の最小値を求める非基本成分算出部と、
前記３つの所定座標軸それぞれの座標成分を、前記出発座標と、前記非基本成分算出部で算出された座標成分と、前記基準定義取得部で取得された基準定義とに基いて算出することによって、該出発座標に対応する前記第２色空間の座標を得る対応算出部とを備えたことを特徴とする色変換定義作成装置。
【請求項２】
前記出発決定部が、
前記基本座標軸のうち前記所定座標軸以外の座標軸について、前記基準定義に従った色変換によって前記出発座標に写像され得る成分範囲を算出する範囲算出部と、
前記成分範囲内における座標成分の相対位置を前記第１色空間上の各座標に対応付けた対応関数を取得する対応関数取得部と、
前記範囲算出部で算出された成分範囲と、前記対応関数取得部で取得された対応関数とに従って、前記出発座標に対応する座標成分を算出する成分算出部とを備えたものであることを特徴とする請求項１記載の色変換定義作成装置。
【請求項３】
前記第１色空間が、測色値で色を表した色空間であることを特徴とする請求項１記載の色変換定義作成装置。
【請求項４】
前記第２色空間が、ＣＭＹ３色に対応する３つの所定座標軸を含む、ＣＭＹＫ４色に対応する４つの基本座標軸と、１つ以上の特色それぞれに対応した非基本座標軸とを有する色空間であることを特徴とする請求項１記載の色変換定義作成装置。
【請求項５】
コンピュータに組み込まれ、該コンピュータに、３つの座標軸を有する第１色空間から、３つの所定座標軸を含む３つ以上の基本座標軸と１つ以上の非基本座標軸とを有する第２色空間への色変換を定義する色変換定義を作成させる色変換定義作成プログラムにおいて、
該コンピュータ上に、
前記第２色空間から前記第１色空間への色変換を定義した基準定義を取得する基準定義取得部と、
前記第１色空間上で出発座標を決定し、前記基本座標軸が前記所定座標軸以外の座標軸を含む場合には、その座標軸の座標成分も決定する出発決定部と、
前記出発決定部で決定された座標成分に制限された下で前記基準定義に従った色変換によって前記出発座標に写像され得る前記第２色空間の非基本座標軸の座標成分の最小値を求める非基本成分算出部と、
前記３つの所定座標軸それぞれの座標成分を、前記出発座標と、前記非基本成分算出部で算出された座標成分と、前記基準定義取得部で取得された基準定義とに基いて算出することによって、該出発座標に対応する前記第２色空間の座標を得る対応算出部とを構築することを特徴とする色変換定義作成プログラム。
【発明の詳細な説明】
【技術分野】
【０００１】
本発明は、３つの座標軸を有する第１色空間から４つ以上の座標軸を有する第２色空間への色変換を定義する色変換定義を作成する色変換定義作成装置と、コンピュータをそのような色変換定義作成装置として動作させる色変換定義作成プログラムとに関する。
【背景技術】
【０００２】
例えば、記録された画像を読み取って画像データを得るカラースキャナや、固体撮像素子上に被写体の画像を結蔵して読み取ることにより画像データを得るＤＳＣ（デジタルスチルカメラ）等、何らかの原稿を入力して画像データを得る、様々なタイプの入力デバイスが知られている。これらの入力デバイスでは、例えばＲ（レッド）、Ｇ（グリーン）、Ｂ（ブルー）の３色の成分値の組合せで画像の色が表現された画像データが得られる。このとき、この画像データにおける成分値と色との対応関係を表す、各成分値に対応する座標軸を有する色空間（例えば、ＲＧＢ色空間）は、その画像データを得た入力デバイスの装置特性に依存したものとなる。
【０００３】
また、画像データに基づいて画像を出力する出力デバイスについても、例えば、印画紙上をレーザ光で露光してその印画紙を現像することにより印画紙上に画像を記録する写真プリンタ、電子写真方式やインクジェット方式等の方式で用紙上に画像を記録するプリンタ、輪転機を回して多量の印刷物を作成する印刷機、画像データに基づいて表示画面上に画像を表示するＣＲＴディスプレイやプラズマディスプレイ等の画像表示装置等、様々なタイプの出力デバイスが知られている。これらの出力デバイスは、例えばＲＧＢ３色の成分値の組合せや、Ｃ（シアン）、Ｍ（マゼンタ）、Ｙ（イエロー）、Ｋ（墨）の４色の成分値の組合せで画像の色が表現された画像データに基づいて、画像が色を含めて出力される。この出力デバイスで扱われる画像データにおける成分値と色との対応関係を表す、各成分値に対応する座標軸を有する色空間（例えば、ＲＧＢ色空間やＣＭＹＫ色空間）は、その画像データに基いて画像を出力する出力デバイスの装置特性に依存したものとなる。
【０００４】
一般に、入力デバイスと出力デバイスとでは、取り扱われる画像データに対応する色空間が相互に異なっている。このため、例えば、入力デバイスと出力デバイスとの双方が、ＲＧＢ３色の成分値の組合せで画像の色が表現された画像データを扱う装置であったとしても、入力デバイスで得られた画像データをそのまま用いて出力デバイスで画像を出力したときに、入力デバイスで入力される元になった画像の色と出力デバイスで出力された画像の色は一般には一致しない。従って、入力デバイスで原稿を読み取って画像データを得、その画像データを基にして、出力デバイスで原稿を再現しようとしたとき、入力デバイスで得られた画像データをそのまま出力デバイスに送るのではなく、その間で画像データを変換する必要がある。ここでは画像の色に着目した変換を行なっており、この画像データの変換を色変換と称する。また、この色変換前後の画像データの相互関係を定義するＬＵＴ（ルックアップテーブル）等のことを色変換定義と称する。
【０００５】
ところで、近年、印刷の分野では、プリンタや印刷機等といった出力デバイスにおいて、従来から画像の色の表現に用いられてきたＣＭＹＫ４色（プロセス色）に加え、このようなプロセス色のみでは表現しきれない色を適切に表現するために、例えばＲ色やＧ色やＢ色等といった、プロセス色以外の色（特色）が用いられるようになってきている。そして、このような特色の使用に対応できるように、特色を含む複数の色要素で画像の色を表現する出力デバイス用の画像データへの色変換を定義する色変換定義も作成されるようになってきている（例えば、特許文献１および特許文献２参照。）。
【特許文献１】特開平８−２７２０８１号公報
【特許文献２】特開２００１−１３６４０１号公報
【発明の開示】
【発明が解決しようとする課題】
【０００６】
印刷の分野では、印刷物の仕上りを事前に確認するために、印刷機で実際に印刷物を出力する前に、その印刷物を再現したプルーフ画像をプリンタ等で出力するというプルーフ処理が行なわれている。そして、例えばその出力されたプルーフ画像の色調が好ましいものではなかった場合等には、そのようなプルーフ結果に応じて、印刷用の画像データを得るための上記の色変換定義に対する調整処理や、印刷機自体におけるインクの出力量を変える等といったハードウェア的な調整処理や、上記の色変換前の画像データに対する画像処理等といった色についての様々な調整処理を施すことで、最終的に好ましい色調の印刷物が出力されるようにする等ということが行われる。
【０００７】
ここで、ＣＭＹＫ４色のプロセス色を使った印刷については歴史が古く、そのような印刷における色についての調整処理に対する多くのノウハウが培われている。
【０００８】
プロセス色に特色を加えた印刷の場合にも、上記のようなプルーフ処理とプルーフ結果に応じた調整処理が行われることが望ましい。このような特色を使用した印刷では、印刷用の画像データの作成に、例えば上記の特許文献１や特許文献２に示されている方法等で作成される色変換定義が使われる。ここで、このような特色に対応した色変換定義の多くは、従来から使われている、ＣＭＹＫ４色のプロセス色に対応した色変換定義とは、定義している色変換の内容があまりにも異なっている。このため、上記のような色についての調整処理を行おうとしても、ＣＭＹＫ４色のプロセス色を使った印刷において培われた過去のノウハウが殆ど適用できず、その調整処理が非常に困難なものとなっている。
【０００９】
尚、上記では、ＣＭＹＫ４色のプロセス色に特色を加えた印刷で使用される色変換定義を例に挙げ、そのような色変換定義を使った印刷における色についての調整処理の困難さという問題を説明したが、このような問題は、例えばＲＧＢ３色の基本色に何らかの非基本色を加えて色を表示するカラーモニタ用の色変換定義等というように、所定の基本色に非基本色を加えた色表現で使用される色変換定義を使った色表現において一般的に生じる問題である。
【００１０】
本発明は、上記事情に鑑み、所定の基本色に非基本色を加えた色表現で使用される、色についての調整処理が容易な色変換定義を作成することができる色変換定義作成装置と、コンピュータをそのような色変換定義作成装置として動作させる色変換定義作成プログラムを提供することを目的とする。
【課題を解決するための手段】
【００１１】
上記目的を達成する本発明の色変換定義作成装置は、３つの座標軸を有する第１色空間から、３つの所定座標軸を含む３つ以上の基本座標軸と１つ以上の非基本座標軸とを有する第２色空間への色変換を定義する色変換定義を作成する色変換定義作成装置において、
上記第２色空間から上記第１色空間への色変換を定義した基準定義を取得する基準定義取得部と、
上記第１色空間上で出発座標を決定し、上記基本座標軸が上記所定座標軸以外の座標軸を含む場合には、その座標軸の座標成分も決定する出発決定部と、
上記出発決定部で決定された座標成分に制限された下で上記基準定義に従った色変換によって上記出発座標に写像され得る上記第２色空間の非基本座標軸の座標成分の最小値を求める非基本成分算出部と、
上記３つの所定座標軸それぞれの座標成分を、上記出発座標と、上記非基本成分算出部で算出された座標成分と、上記基準定義取得部で取得された基準定義とに基いて算出することによって、その出発座標に対応する上記第２色空間の座標を得る対応算出部とを備えたことを特徴とする。
【００１２】
本発明の色変換定義作成装置によれば、上記非基本座標軸の座標成分が、上記第１色空間上の出発座標に写像され得る最小値に決定される。つまり、上記色変換定義では、上記第１色空間上の各座標には、基本的には、上記第２色空間の基本座標軸の座標成分が対応付けられ、上記非基本座標軸の座標成分の値は必要最小限の値に抑えられる。これにより、例えば、上記基本座標軸を印刷で使用されるプロセス色に対応した座標軸とし、上記非基本座標軸を特色に対応した座標軸とすると、上記色変換定義で定義される色変換は、特色の使用が必要最小限に抑えられた色変換となる。このため、このような色変換定義の使用を前提とした印刷における色についての調整処理に対して、プロセス色を使った印刷において培われた過去のノウハウを適用して簡単化を図ることが可能となる。このように、本発明の色変換定義作成装置によれば、所定の基本色に非基本色を加えた色表現で使用される、色についての調整処理が容易な色変換定義を作成することができる。
【００１３】
ここで、本発明の色変換定義作成装置において、「上記出発決定部が、
上記基本座標軸のうち上記所定座標軸以外の座標軸について、上記基準定義に従った色変換によって上記出発座標に写像され得る成分範囲を算出する範囲算出部と、
上記成分範囲内における座標成分の相対位置を上記第１色空間上の各座標に対応付けた対応関数を取得する対応関数取得部と、
上記範囲算出部で算出された成分範囲と、上記対応関数取得部で取得された対応関数とに従って、上記出発座標に対応する座標成分を算出する成分算出部とを備えたものである」という形態も好ましい形態である。
【００１４】
この好ましい形態の色変換定義作成装置によれば、上記所定座標軸以外の座標軸の座標成分が、上記出発座標に写像され得る成分範囲が算出され、その算出された成分範囲内の値に決定される。このため、この座標成分については、色変換の精度を下げるような値が求められる等といった不具合が回避される。また、この座標成分は、上記対応関数に従って決定される。このため、例えば上記相対位置を上記第１色空間上の各座標に連続的に対応付けるような対応関数を用意しておくことで、色変換における不自然な色の飛びやトーンジャンプ等といった不具合を回避することができる。
【００１５】
また、本発明の色変換定義作成装置において、「上記第１色空間が、測色値で色を表した色空間である」という形態も好ましい形態である。
【００１６】
この好ましい形態によれば、例えばＬａｂ色空間やＸＹＺ色空間等といった測色値で色を表した共通色空間からの色変換を定義する色変換定義を容易に作成することができる。
【００１７】
また、本発明の色変換定義作成装置において、「上記第２色空間が、ＣＭＹ３色に対応する３つの所定座標軸を含む、ＣＭＹＫ４色に対応する４つの基本座標軸と、１つ以上の特色それぞれに対応した非基本座標軸とを有する色空間である」という形態も好ましい。
【００１８】
この好ましい形態の色変換定義作成装置によれば、まず、人間の目に認識されやすいＫ色に対応する座標軸について座標成分の決定が行われるので、精度の高い色変換定義を作成することができる。
【００１９】
また、上記目的を達成する本発明の色変換定義作成プログラムは、コンピュータに組み込まれ、そのコンピュータに、３つの座標軸を有する第１色空間から、３つの所定座標軸を含む３つ以上の基本座標軸と１つ以上の非基本座標軸とを有する第２色空間への色変換を定義する色変換定義を作成させる色変換定義作成プログラムにおいて、
そのコンピュータ上に、
上記第２色空間から上記第１色空間への色変換を定義した基準定義を取得する基準定義取得部と、
上記第１色空間上で出発座標を決定し、上記基本座標軸が上記所定座標軸以外の座標軸を含む場合には、その座標軸の座標成分も決定する出発決定部と、
上記出発決定部で決定された座標成分に制限された下で上記基準定義に従った色変換によって上記出発座標に写像され得る上記第２色空間の非基本座標軸の座標成分の最小値を求める非基本成分算出部と、
上記３つの所定座標軸それぞれの座標成分を、上記出発座標と、上記非基本成分算出部で算出された座標成分と、上記基準定義取得部で取得された基準定義とに基いて算出することによって、その出発座標に対応する上記第２色空間の座標を得る対応算出部とを構築することを特徴とする。
【００２０】
この本発明の色変換定義作成プログラムによれば、所定の基本色に非基本色を加えた色表現で使用される、調整処理が容易な色変換定義を作成する上述の色変換定義作成装置を容易に実現することができる。
【００２１】
なお、本発明にいう色変換定義作成プログラムについては、ここではその基本形態のみを示すのにとどめるが、これは単に重複を避けるためであり、本発明にいう色変換定義作成プログラムには、上記の基本形態のみではなく、前述した色変換定義作成装置の各形態に対応する各種の形態が含まれる。
【００２２】
さらに、本発明の色変換定義作成プログラムがコンピュータ上に構築する基準定義取得部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されてもよい。
【発明の効果】
【００２３】
以上、説明したように、本発明によれば、所定の基本色に非基本色を加えた色表現で使用される、調整処理が容易な色変換定義を作成することができる色変換定義作成装置と、コンピュータをそのような色変換定義作成装置として動作させる色変換定義作成プログラムを得ることができる。
【発明を実施するための最良の形態】
【００２４】
以下図面を参照して本発明の実施の形態を説明する。
【００２５】
図１は、本発明の一実施形態が適用される印刷システムの全体構成図である。
【００２６】
この図１に示す印刷−プルーフシステム１は、ＣＭＹＫ４色のプロセス色のインク、およびプロセス色以外の１色の特色のインクとが使用できる印刷機３０を備えており、原稿画像１１を元に編集された印刷用の画像を印刷機３０で用紙上に印刷して印刷物３１を作成するものである。
【００２７】
ここで、この印刷−プルーフシステム１では、印刷機３０における特色のインクについては、所定の複数色のインクのうちの１色のインクが選択できるようになっており、さらに、特色のインクを使用するか否かについても選択できるようになっている。
【００２８】
尚、以下では、説明を簡単なものとするために、印刷機３０においてＯ（オレンジ）色の特色を使用することを前提として説明する。
【００２９】
カラースキャナ１０では、原稿画像１１が読み取られて、その読み取られた原稿画像１１を表わすＲＧＢ３色の色分解画像データが生成される。このＲＧＢの画像データは、パーソナルコンピュータ１００に入力される。パーソナルコンピュータ１００では、入力された画像データに基づく電子的な集版がユーザによって行なわれ、ＲＧＢ３色で色が表現された印刷用の画像を表わす画像データ（以下、ＲＧＢ画像データと呼ぶ）が生成される。
【００３０】
ここで、このパーソナルコンピュータ１００は、上記のＲＧＢ画像データを、そのＲＧＢ画像データが表わす画像の色をＣＭＹＫＯ５色で表現した画像データ（以下、ＣＭＹＫＯ画像データと呼ぶ）に変換する色変換装置として動作する機能を有している。パーソナルコンピュータ１００におけるこの機能により、元画像を表わすＲＧＢ画像データはＣＭＹＫＯ画像データに変換される。
【００３１】
さらに、このパーソナルコンピュータ１００は、いわゆるＲＩＰ（Ｒａｓｔｅｒ  Ｉｍａｇｅ  Ｐｒｏｃｅｓｓｏｒ）として動作する機能も備えており、この機能により、ＣＭＹＫＯ画像データが、網点で画像を構成した網点画像を表した網点画像データに変換される。この網点画像データへの変換は、ＣＭＹＫＯ５色それぞれについて行なわれ、これら各色の版の網点画像データが作成される。
【００３２】
これらの網点画像データはフィルムプリンタ２０に入力され、そのフィルムプリンタ２０では、入力された網点画像データに対応した各版の印刷用フィルム原版が作成される。この印刷用フィルム原版からは各版の刷版が作成され、それらの刷版が印刷機３０に装着される。そして、各版の刷版にその版に対応した色のインクが塗布され、その塗布されたインクが印刷用の用紙上に転移される。その転移が、各版について行なわれて印刷物３１が形成される。
【００３３】
ここで、上記のＲＧＢ画像データからＣＭＹＫＯ画像データへの色変換では、ＲＧＢ３色で色を表現するＲＧＢ色空間から、ＣＭＹＫＯ５色で色表現するＣＭＹＫＯ色空間への色変換を定義した色変換定義が用いられる。パーソナルコンピュータ１００は、このような色変換定義を作成する、本発明の色変換定義作成装置として動作する機能も有している。本実施形態では、色変換定義作成装置で作成された色変換定義が、上記の色変換装置において使用されて色変換が実行される。
【００３４】
ここで、フィルムプリンタ２０によって印刷用フィルム原版を作成し、さらに刷版を作成して印刷機３０に装着し、その刷版にインクを塗布して用紙上に印刷を行なうという一連の作業は、大掛かりな作業でありコストもかかる。このため、この印刷−プルーフシステム１には、実際の印刷作業を行なう前に印刷物３１の仕上がりを事前確認できるように、印刷物３１を再現したプルーフ画像４１を簡易的に出力するプルーフ処理を行う、プルーファ４０というプルーフ処理専用のプリンタが備えられている。
【００３５】
また、この印刷−プルーフシステム１では、例えばプルーフ処理で出力されたプルーフ画像４１の色調が好ましい色調ではなかった場合等に、印刷物３１が好ましい色調で出力されるようにするための色についての調整処理が、上記の色変換定義に対する調整処理で行われる。そして、パーソナルコンピュータ１００が、色変換定義に対する調整処理を行う色変換定義調整装置として動作する機能も有している。
【００３６】
図２は、色変換装置、色変換定義作成装置、および色変換定義調整装置の関係を示すブロック図である。
【００３７】
この図２には、ＲＧＢ画像データからＣＭＹＫＯ画像データへの色変換を実行する色変換装置２００と、その色変換で使用される色変換定義２５０を作成する色変換定義作成装置３００と、その色変換定義を調整する色変換定義調整装置４００とが模式的に示されている。
【００３８】
ここで、上記のＲＧＢ色空間は、図１のカラースキャナ１０の装置特性に依存しており、またＣＭＹＫＯ色空間は、フィルムプリンタ２０の装置特性および印刷機３０の装置特性の双方に依存している。このため、色変換装置２００では、カラースキャナ１０、フィルムプリンタ２０、および印刷機３０に依存しない共通色空間の一例であるＬａｂ色空間を介した色変換が行われる。この色変換では、ＲＧＢ画像データは、概念的には、一旦、Ｌａｂ色空間で色が表現されたＬａｂ画像データに変換され、その後に、ＣＭＹＫＯ画像データに変換される。このため、色変換装置２００で色変換に使われる色変換定義２５０も、概念的には、図２に示すように、入力デバイスであるカラースキャナ１０に依存したＲＧＢ色空間からＬａｂ色空間への色変換を定義した入力プロファイル２５１と、Ｌａｂ色空間から出力デバイスであるフィルムプリンタ２０および印刷機３０に依存したＣＭＹＫＯ色空間への色変換を定義した出力プロファイル２５２との両方を使った色変換を行うものとなっている。
【００３９】
色変換定義作成装置３００では、入力プロファイル２５１と出力プロファイル２５２との双方が作成される。ここで、入力プロファイル２５１は、ＲＧＢ色空間とＬａｂ色空間という共に３次元の色空間どうしの間での色変換を定義するものであり、既知の方法によって一意的に作成される。一方、出力プロファイル２５２は、Ｌａｂ色空間という３次元の色空間からＣＭＹＫＯ色空間という５次元の色空間への色変換を定義するものであり、色変換定義作成装置３００では、３次元から５次元へという本来は一意的には求まらない変換関係を後述の手法によって求めることでこの出力プロファイル２５２が作成される。
【００４０】
ここで、Ｌａｂ色空間は、本発明にいう第１色空間の一例に相当し、ＣＭＹＫＯ色空間は、本発明にいう第２色空間の一例に相当し、出力プロファイル２５２は、本発明にいう色変換定義の一例に相当する。また、ＣＭＹＫＯ色空間におけるＣＭＹＫ４色それぞれに対応する座標軸は、本発明にいう基本座標軸の一例に相当し、Ｏ色に対応する座標軸は、本発明にいう非基本座標軸の一例に相当する。
【００４１】
色変換定義調整装置４００では、色変換定義２５０に対する調整処理が、不図示の操作画面に対するユーザの操作に応じて行われる。本実施形態では、色変換定義２５０の出力側、概念的には出力プロファイル２５２の出力側に、ＣＭＹＫＯ各色の階調カーブを表す１次元テーブルが設けられている。初期状態では、この１次元テーブルは、入力と出力とが互いに等しくなる初期カーブを表している。操作画面には、まずＣＭＹＫＯ各色の初期カーブが表示される。そして、ユーザが上記のプルーフ画像４１（図１参照）の色調を見ながら、各色の初期カーブを望ましい形の階調カーブに調整することで、色変換定義２５０が調整される。そして、色変換装置２００で、調整済みの色変換定義２５０による色変換が行われると、上記の調整内容が反映されたＣＭＹＫＯ画像データが作成されることとなる。
【００４２】
ここで、このような色変換定義２５０の調整処理は、従来から、ＣＭＹＫ４色のプロセス色のみを用いた印刷では行なわれており、調整処理についての多くのノウハウが培われている。本実施形態では、色変換定義作成装置３００において、後述するようにプロセス色のみによる色表現がなるべく生かされた出力プロファイル２５２を作成することで、色変換定義２５０に、過去のノウハウがなるべく適用された容易な調整処理を施せるようになっている。
【００４３】
以下、この出力プロファイル２５２の作成に特化して、色変換定義作成装置３００についての説明を行う。
【００４４】
この色変換定義作成装置３００は、図１に示すパーソナルコンピュータ１００が、後述する本発明の色変換定義作成プログラムの一実施形態に従って動作することによって実現される。
【００４５】
図３は、図１のパーソナルコンピュータ１００の外観斜視図、図４はそのハードウェア構成図である。
【００４６】
このパーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１１、およびＣＤ−ＲＯＭを装填するためのＣＤ−ＲＯＭ装填口１１２を有する。
【００４７】
本体装置１１０の内部には、図４に示すように、各種プログラムを実行するＣＰＵ１１３、ハードディスク装置１１５に格納されたプログラムが読み出されＣＰＵ１１３での実行のために展開される主メモリ１１４、各種プログラムやデータなどが保存されたハードディスク装置１１５、ＦＤ５１０をアクセスするＦＤドライバ１１６、ＣＤ−ＲＯＭ５２０が装填され、その装填されたＣＤ−ＲＯＭ５２０をアクセスするＣＤ−ＲＯＭドライバ１１７、図１のカラースキャナ１０やフィルムプリンタ２０に接続されこれらの機器とデータのやり取りを行なうＩ／Ｏインタフェース１１８が内蔵されており、これらの各種要素と、さらに図３にも示す画像表示装置１２０、キーボード１３０、マウス１４０は、バス１５０を介して相互に接続されている。
【００４８】
本実施形態では、図３に示すＣＤ−ＲＯＭ５２０に、このパーソナルコンピュータ１００を、本発明の色変換定義作成装置の一実施形態である色変換定義作成装置３００として動作させる、本発明の色変換定義作成プログラムの一実施形態が記憶される。そして、そのＣＤ−ＲＯＭ５２０がＣＤ−ＲＯＭドライバ１１７に装填されると、そのＣＤ−ＲＯＭ５２０に記憶されたプログラムがこのパーソナルコンピュータ１００にアップロードされてハードディスク装置１１５に書き込まれる。これにより、パーソナルコンピュータ１００は色変換定義作成装置として動作する。
【００４９】
以下、この本発明の色変換定義作成プログラムの一実施形態について説明する。
【００５０】
図５は、本発明の色変換定義作成プログラムの一実施形態である色変換定義作成プログラムを示す模式図である。
【００５１】
この図５には、本発明の色変換定義作成プログラムの一実施形態である色変換定義作成プログラム６００が記憶されたＣＤ−ＲＯＭ５２０が模式的に示されている。
【００５２】
この色変換定義作成プログラム６００は、コンピュータ１００を本発明の色変換定義作成装置の一実施形態として動作させるものであり、基準定義取得部６１０と、出発決定部６２０と、非基本成分算出部６３０と、対応算出部６４０とを有する。また、出発決定部６２０は、範囲算出部６２１と、対応関数取得部６２２と、成分算出部６２３とを有している。この色変換定義作成プログラム６００の各要素の詳細については後述する。
【００５３】
図６は、図２に１つのブロックで示した、本発明の色変換定義作成装置の一実施形態を示すブロック図である。
【００５４】
この図６に示す、本発明の色変換定義作成装置の一実施形態である色変換定義作成装置３００は、図５の色変換定義作成プログラム６００が図１のコンピュータ１００にインストールされて実行されることによって構成されるものであり、基準定義取得部３１０と、出発決定部３２０と、非基本成分算出部３３０と、対応算出部３４０とを備えている。また、出発決定部３２０は、範囲算出部３２１と、対応関数取得部３２２と、成分算出部３２３とを備えている。
【００５５】
図５の色変換定義作成プログラム６００が、図１のコンピュータ１００にインストールされると、その色変換定義作成プログラム６００の基準定義取得部６１０と、出発決定部６２０と、非基本成分算出部６３０と、および対応算出部６４０は、それぞれ図６に示す色変換定義作成装置３００の基準定義取得部３１０と、出発決定部３２０と、非基本成分算出部３３０と、対応算出部３４０を構築する。また、色変換定義作成プログラム６００の出発決定部６２０における範囲算出部６２１、対応関数取得部６２２、および成分算出部６２３は、それぞれ色変換定義作成装置３００の出発決定部３２０における、範囲算出部３２１、対応関数取得部３２２、および成分算出部３２３を構築する。ここで、これら色変換定義作成装置３００の各要素は、コンピュータのハードウェアとそのコンピュータで実行されるＯＳやアプリケーションプログラムとの組合せで構成されているのに対し、図５の色変換定義作成プログラム６００の各要素は、アプリケーションプログラムのみによって構成されている。
【００５６】
また、この色変換定義作成装置３００における基準定義取得部３１０、出発決定部３２０、範囲算出部３２１、対応関数取得部３２２、成分算出部３２３、非基本成分算出部３３０、および対応算出部３４０は、それぞれ本発明の色変換定義作成装置における基準定義取得部、出発決定部、範囲算出部、対応関数取得部、成分算出部、非基本成分算出部、および対応算出部の各一例に相当する。
【００５７】
以下、この図６に示す色変換定義作成装置３００の各要素を説明することによって、図５に示す色変換定義作成プログラム６００の各要素も併せて説明する。
【００５８】
基準定義取得部３１０は、ＣＭＹＫＯ色空間からＬａｂ色空間への色変換を定義したＣＭＹＫＯ−Ｌａｂ色変換定義を取得する。
【００５９】
このＣＭＹＫＯ−Ｌａｂ色変換定義は、ＣＭＹＫＯ色空間上に規則的に並んだ複数の格子点と、Ｌａｂ色空間上の複数点との１対１の対応関係がテーブル形式で記述されたものであり、その記述によってＣＭＹＫＯ色空間からＬａｂ色空間への色変換を定義している。本実施形態では、このＣＭＹＫＯ−Ｌａｂ色変換定義は、次のような手順で作成されたものである。まず、ＣＭＹＫＯ色空間上の複数の格子点のうちの所定の複数の代表点に対応する色を有する複数のカラーパッチを、図１に示す印刷機３０に出力させる。ここで、このカラーパッチの出力は、各カラーパッチの色をＣＭＹＫＯ色空間の各代表点の座標（Ｃ値、Ｍ値、Ｙ値、Ｋ値、Ｏ値：ＣＭＹＫＯ各色の網パーセント値）で表すパッチデータ基いて実行される。そして、出力された各カラーパッチの色を測色して、各カラーパッチの色の測色値（Ｌａｂ値）を得る。次に、ＣＭＹＫＯ色空間上における上記の代表点以外の格子点について、測色値を用いた補間処理によって対応するＬａｂ値を算出し、最後に、全格子点のＣＭＹＫＯ値とＬａｂ値とを互いに対応付けるテーブルを作成することで、ＣＭＹＫＯ−Ｌａｂ色変換定義を完成させる。このＣＭＹＫＯ−Ｌａｂ色変換定義は、本発明にいう基準定義の一例に相当する。
【００６０】
本実施形態では、この基準定義取得部３１０で取得されたＣＭＹＫＯ−Ｌａｂ色変換定義に基いて、このＣＭＹＫＯ−Ｌａｂ色変換定義が定義する色変換とは逆向きの、Ｌａｂ色空間からＣＭＹＫＯ色空間への色変換を定義した出力プロファイル２５２（図２参照）が作成される。この出力プロファイル２５２は、Ｌａｂ色空間上に規則的に並んだ複数の格子点と、ＣＭＹＫＯ色空間上の複数点との１対１の対応関係がテーブル形式で記述されたものである。このようなＬａｂ色空間上の各格子点とＣＭＹＫＯ色空間上の各点との対応関係は、一見、上記のＣＭＹＫＯ−Ｌａｂ色変換定義を単純に逆参照することで算出できるように思われる。しかしながら、３次元空間の座標に対応する５次元空間の座標は数学的には一意的に求まらないため、本実施形態では、このＣＭＹＫＯ−Ｌａｂ色変換定義を参照しつつも、Ｌａｂ色空間上の各格子点とＣＭＹＫＯ色空間上の各点との対応関係が以下に説明するように求められることとなる。
【００６１】
まず、出発決定部３２０において、Ｌａｂ色空間上の各格子点について、ＣＭＹＫＯ色空間におけるＫ値が決定される。このように、本実施形態では、まず人間の目に認識され易く色変換の精度に与える影響が大きいＫ値が先に決定される。これにより、色変換定義の精度の向上が図られる。
【００６２】
以下、Ｋ値の決定について説明する。
【００６３】
範囲算出部３２１は、Ｌａｂ色空間上の複数の格子点のうちの１つを、所定の優先順位に則って出発座標に決定する。そして、範囲算出部３２１は、Ｋ値について、ＣＭＹＫＯ−Ｌａｂ色変換定義に従った色変換によってその出発座標に写像され得る成分範囲を算出する。
【００６４】
図７は、ある出発座標に写像され得るＫ値の成分範囲が算出される様子を示す図である。
【００６５】
この図７のパート（ａ）には、Ｋ値の成分範囲における下限（Ｋの下限値Ｋｍｉｎ）が算出される様子が示され、パート（ｂ）には、その成分範囲における上限（Ｋの上限値Ｋｍａｘ）が算出される様子が示されている。
【００６６】
以下、Ｋの下限値Ｋｍｉｎの算出について説明する。この算出では、範囲算出部３２１は、まず、Ｋ値を０％に固定した状態で、図１に示す印刷システム１において出力可能な色の範囲（ガマット）ＧＫ０をＬａｂ色空間上で次のように算出する。即ち、Ｋ値を０％に固定した状態で、Ｃ値、Ｍ値、Ｙ値、Ｏ値それぞれを０％から１００％の間で所定刻みで変化させて得られる複数の座標に１対１に対応するＬａｂ色空間上の座標をＣＭＹＫＯ−Ｌａｂ色変換定義に基いて算出し、それら算出された座標のうち、Ｌａｂ色空間上で最外縁に位置する座標で囲まれた範囲をＫ値＝０％に対応するガマットＧＫ０とする。図７のパート（ａ）には、このガマットＧＫ０が、Ｌ＊軸に平行な平面でそのガマットＧＫ０が切断されたときの断面で示されている。また、この図７のパート（ａ）には、Ｌ＊軸も示されているが、この図中では、図を見易くするために、本来はＬ＊軸上に位置しているガマットＧＫ０が、Ｌ＊軸の右側に示されている。このようにＫ値＝０％に対応するガマットＧＫ０が求められると、範囲算出部３２１は、次に、そのガマットＧＫ０内に、Ｌａｂ色空間上の格子点のうちの１つである出発座標Ｐが含まれるか否かを判定する。そして、そのガマットＧＫ０内に出発座標Ｐが含まれると判定された場合には、０％という値をＫの下限値Ｋｍｉｎに決定する。一方、ガマットＧＫ０内に出発座標Ｐが含まれないと判定された場合には、Ｋ値を所定量だけ増やし、その増やしたＫ値について上述したガマットの算出と、出発座標Ｐについての判定が行われる。このようにＫ値が増加すると、図７のパート（ａ）に示すように、ガマットは、Ｋ値＝０％のガマットＧＫ０からＫ値＝１００％のガマットＧＫ１００に向かって、Ｌ＊軸に沿って降下するとともに広さが狭まるように変化する。範囲算出部３２１は、このようなガマットの算出と判定処理とを、図中の矢印Ｄ１が示すように、Ｋ値を０％から１００％に向かって増加させながら実行する。そして、図中でハッチングされたガマットＧＫｍｉｎのように、ガマット内に出発座標Ｐが含まれると判定した時点でＫ値の変化を止め、その時点のＫ値を、その出発座標Ｐに対するＫの下限値Ｋｍｉｎに決定する。
【００６７】
次に、Ｋの上限値Ｋｍａｘの算出について説明する。この算出では、範囲算出部３２１は、上述したようなガマットの算出と判定処理とを、図中の矢印Ｄ２が示すように、Ｋ値を１００％から０％に向かって減少させながら実行する。このようにＫ値が減少すると、図７のパート（ｂ）に示すように、ガマットは、Ｋ値＝１００％のガマットＧＫ１００からＫ値＝０％のガマットＧＫ０に向かって、Ｌ＊軸に沿って上昇するとともに広さが広がるように変化する。そして、図中でハッチングされたガマットＧＫｍａｘのように、ガマット内に出発座標Ｐが含まれると判定した時点でＫ値の変化を止め、その時点のＫ値を、その出発座標Ｐに対するＫの上限値Ｋｍａｘに決定する。
【００６８】
このように、ある出発座標Ｐに写像され得るＫ値の成分範囲が決定されると、次に、図６に示す成分算出部３２３が、その出発座標Ｐに対応するＫ値をこの成分範囲内の座標成分に次式によって算出する。
【００６９】
Ｋ値＝ＷＫ×Ｋの上限値Ｋｍａｘ＋（１−ＷＫ）×Ｋの下限値Ｋｍｉｎ
ここで、この式における「ＷＫ」は、Ｋ値が、上記のＫの上限値ＫｍａｘとＫの下限値Ｋｍｉｎとの間でどれだけＫの上限値Ｋｍａｘ側に偏っているかを示す係数（重み）であり、出発座標Ｐを表すＬａｂ値のうち明度に相当するＬ＊値を変数とする重み関数ＷＫＬと、（ａ＊値２＋ｂ＊値２）１／２で表される彩度Ｃを変数とする重み関数ＷＫＣとの積で表される。
【００７０】
本実施形態では、この２種類の重み関数の積からなる重みＷＫの式が予めユーザによって作られ不図示のメモリ内に格納されている。そして、図６に示す対応関数取得部３２２によって、この重みＷＫの式が不図示のメモリから読み出される。ここで、この重みＷＫの式が、本発明にいう対応関数の一例に相当する。
【００７１】
図８は、Ｌ＊値の重み関数ＷＫＬの一例と、彩度Ｃの重み関数ＷＫＣの一例とを示す図である。
【００７２】
この図８のパート（ａ）にはＬ＊値の重み関数ＷＫＬを表すラインＬ１が示され、パート（ｂ）には彩度Ｃの重み関数ＷＫＣを表すラインＬ２が示されている。
【００７３】
この図８の例では、Ｌ＊値の重み関数ＷＫＬは、パート（ａ）のラインＬ１から分かるように、明度が高まるにつれ重みが低下するという関数になっており、彩度Ｃの重み関数ＷＫＣは、パート（ｂ）のラインＬ２から分かるように、所定の低彩度領域では「１．０」の重みとなり高彩度側では彩度が高まるにつれ重みが低下するという関数になっている。
【００７４】
これら２種類の重み関数ＷＫＬ，ＷＫＣの積で表される重みＷＫによって、例えば明度と彩度が低いシャドウ側の格子点についてはＫ値が上記の範囲中の上限値Ｋｍａｘに近い多めの座標成分に決定され、明るく鮮やかな色の格子点についてはＫ値が上記の範囲中の下限値Ｋｍｉｎに近い少なめの座標成分に決定されることとなる。
【００７５】
以上、図７および図８を参照して説明した手順により、ある出発座標についてのＫ値が決定されると、次に、特色に対応するＯ値の決定が、非基本成分算出部３３０によって以下に説明するように求められる。
【００７６】
このＯ値は、出発座標に写像され得る成分範囲のうちの下限値（Ｏの下限値Ｏｍｉｎ）に決定される。
【００７７】
図９は、Ｏの下限値ＯｍｉｎがＯ値として算出される様子を示す図である。
【００７８】
このＯの下限値Ｏｍｉｎの算出では、非基本成分算出部３３０は、Ｋ値を固定した状態で、上述したようなガマットの算出と判定処理とを、図９中の矢印Ｄ３が示すように、Ｏ値を０％から１００％に向かって増加させながら実行する。ガマットは、このようなＯ値の増加につれて、ａ＊＝ｂ＊＝０の座標から遠ざかるとともに広さが狭まるように変化する。図９では、このようなガマットの変化が、ａ＊ｂ＊平面に平行な平面でガマットが切断されたときの断面で示されている。そして、非基本成分算出部３３０は、Ｏ値＝０％のガマットＧＯ０から、Ｏ値＝１００％のガマットＧＯ１００に向かう変化を、図中でハッチングされたガマットＧＯｍｉｎのように、ガマット内に出発座標Ｐが含まれると判定された時点で止め、その時点のＯ値を、その出発座標Ｐに対するＯの下限値Ｏｍｉｎ即ち出発座標に対応するＯ値に決定する。
【００７９】
以上、図７から図９までを参照して説明した方法により、ある出発座標についてのＫ値とＯ値とが決定される。
【００８０】
次に、図６に示す対応算出部３５０は、出発座標についての、ＣＭＹＫＯ色空間における残りの３成分であるＣ値、Ｍ値、およびＹ値を決定する。これら３つの座標成分は、Ｋ値とＯ値とをそれぞれ決定された座標成分に固定することで上記のＣＭＹＫＯ−Ｌａｂ色変換定義から数学的に一意的に算出される。この算出方法については既知であり、ここでは詳細な説明を省略する。
【００８１】
このように、Ｌａｂ色空間上の複数の格子点のうちの１つを出発座標として、その格子点に対応するＣＭＹＫＯ色空間の座標が算出されると、出発決定部３２０の範囲算出部３２０は、所定の優先順位に従って次の格子点を出発座標に決定する。そして、上述した手順が繰り返されて、その格子点に対応するＣＭＹＫＯ色空間の座標が算出される。本実施形態では、このような処理が、複数の格子点それぞれについて実行されることで、Ｌａｂ色空間上の複数の格子点と、ＣＭＹＫＯ色空間上の複数の座標との１対１の対応関係が求められ、それら求められた対応関係がテーブル形式で記述されることで出力プロファイル２５２が作成される。
【００８２】
このように作成された出力プロファイル２５２は、Ｌａｂ色空間上の各格子点について、ＣＭＹＫＯ色空間上の、特色であるＯ色の座標成分が最小となる座標が対応付けられたものとなっている。その結果、この出力プロファイル２５２を使って定義される色変換は、特色であるＯ色の使用が必要最小限に抑えられた色変換となる。このため、上述したような出力プロファイル２５２に対して、プロセス色を使った印刷において培われた過去のノウハウを適用した簡単な調整処理を行うことが可能となる。このように、本実施形態の色変換定義作成装置３００によれば、色についての調整処理が容易な出力プロファイル２５２を作成することができる。
【００８３】
尚、上記では、本発明の色変換定義作成装置の一実施形態として、Ｌａｂ色空間からＣＭＹＫＯ色空間への色変換を定義した色変換定義を作成する色変換定義作成装置３００を例示した。この実施形態は、ＣＭＹＫ４色のプロセス色のインクと１色の特色のインクとが使用できる印刷機３０（図１参照）に対応した形態である。ここで、本発明の色変換定義作成装置はこのような印刷機３０に対応した形態に限るものではなく、例えば、ＲＧＢ３色という基準色と、その基準色以外の非基準色とで色を表示するカラーモニタに対応した形態であっても良い。
【００８４】
以下、このようなカラーモニタに対応した形態について、その形態における特徴部分に特化して説明する。尚、ここでは、上記のカラーモニタにおいて非基準色としてＣ色が用いられることを前提とする。
【００８５】
この形態の色変換定義作成装置では、Ｌａｂ色空間からＲＧＢＣ色空間への色変換を定義した出力プロファイルが作成されることとなる。その作成の際には、まず、ＲＧＢＣ色空間からＬａｂ色空間への色変換を定義したＲＧＢＣ−Ｌａｂ色変換定義（本発明にいう基準定義の一例に相当）が用意される。そして、Ｌａｂ色空間上に規則的に並ぶ複数の格子点のうちの１つが、所定の優先順位に則って出発座標に決定され、まず、Ｃ値が、ＲＧＢＣ−Ｌａｂ色変換定義に従った色変換によってその出発座標に写像され得る最小値に決定される。
【００８６】
図１０は、Ｃの下限値ＣｍｉｎがＣ値として算出される様子を示す図である。
【００８７】
このＣの下限値Ｃｍｉｎの算出では、０％から１００％に向かってＣ値が順次に増やされ、各Ｃ値に対応するガマットの算出と、算出されたガマットに出発座標Ｐが含まれるか否かの判定処理とが実行される。ガマットは、このようなＣ値の増加につれて、ａ＊＝ｂ＊＝０の座標から遠ざかるとともに広さが狭まるように変化する。図１０では、このようなガマットの変化が、ａ＊ｂ＊平面に平行な平面でガマットが切断されたときの断面で示されている。そして、Ｃ値＝０％のガマットＧＣ０から、Ｃ値＝１００％のガマットＧＣ１００に向かう変化が、図中でハッチングされたガマットＧＣｍｉｎのように、ガマット内に出発座標Ｐが含まれると判定された時点で停止され、その時点でのＣ値が、その出発座標Ｐに対するＣの下限値Ｃｍｉｎに決定される。
【００８８】
このように、Ｃ値の座標成分が決定されると、その決定されたＣ値と上記のＲＧＢＣ−Ｌａｂ色変換定義とに基いて、出発座標に対応するＲＧＢ３色の座標成分が算出される。そして、このような算出が、Ｌａｂ色空間上の複数の格子点それぞれについて実行され、Ｌａｂ色空間からＲＧＢＣ色空間への色変換を定義した出力プロファイルが作成される。
【００８９】
このようなカラーモニタに対応した形態の色変換定義作成装置によっても、色についての調整処理が容易な色変換定義を作成することができるのは、上述した印刷機３０（図１参照）に対応した形態の色変換定義作成装置３００（図６参照）と同様である。
【００９０】
尚、上記では、本発明の色変換定義作成装置の一実施形態として、３次元の色空間から４次元の色空間への色変換定義を作成する色変換定義作成装置や、３次元の色空間から５次元の色空間への色変換定義を作成する色変換定義作成装置を例示したが、本発明はこれに限るものではなく、本発明の色変換定義作成装置は、例えば、３次元の色空間から６次元以上の色空間への色変換定義を作成する色変換定義作成装置等であっても良い。
【００９１】
また、上記では、共通色空間としてＬａｂ色空間を例示したが、本発明はこれに限るものではなく、例えば、共通色空間がＸＹＺ色空間やｓＲＧＢ色空間等であっても良い。
【００９２】
また、上記では、本発明にいう色変換定義の一例として、デバイス非依存な共通色空間を出発側の色空間とした出力プロファイル２５２を例示したが、本発明はこれに限るものではなく、本発明の色変換定義は、例えば、デバイス依存のＲＧＢ色空間やＣＭＹ空間等を出発側の色空間としたもの等であっても良い。
【００９３】
また、上記では、本発明にいう出発決定部の一例として、Ｋ値の値を、出発座標に写像され得る成分範囲内の値に決定する出発決定部３２０を例示したが、本発明はこれに限るものではない。本発明の出発決定部は、例えば、Ｋ値とＬａｂ色空間上の明度との対応関係を予め決めておき、その対応関係に従って出発座標に対応するＫ値を決定するもの等であっても良い。
【００９４】
また、上記では、本発明にいう対応関数取得部の一例として、２種類の重み関数の積を不図示のメモリから読み出す対応関数取得部３３０を例示したが、本発明はこれに限るものではない。本発明の対応関数取得部は、例えば、上記の重み関数の積等をユーザからの操作等によって取得するもの等であっても良い。
【００９５】
また、上記では、本発明にいう対応関数の一例として、２種類の重み関数の積を例示したが、本発明はこれに限るものではなく、本発明の対応関数は、例えば１種類の重み関数や、３種類以上の重み関数の積等であっても良い。
【図面の簡単な説明】
【００９６】
【図１】本発明の一実施形態が適用される印刷システムの全体構成図である。
【図２】色変換装置、色変換定義作成装置、および色変換定義調整装置の関係を示すブロック図である。
【図３】図１のパーソナルコンピュータ１００の外観斜視図である。
【図４】図１のパーソナルコンピュータ１００のハードウェア構成図である。
【図５】本発明の色変換定義作成プログラムの一実施形態である色変換定義作成プログラムを示す模式図である。
【図６】図２に１つのブロックで示した、本発明の色変換定義作成装置の一実施形態を示すブロック図である。
【図７】ある出発座標に写像され得るＫ値の成分範囲が算出される様子を示す図である。
【図８】Ｌ＊値の重み関数ＷＫＬの一例と、彩度Ｃの重み関数ＷＫＣの一例とを示す図である。
【図９】Ｏの下限値ＯｍｉｎがＯ値として算出される様子を示す図である。
【図１０】Ｃの下限値ＣｍｉｎがＣ値として算出される様子を示す図である。
【符号の説明】
【００９７】
１    印刷−プルーフシステム
１０    カラースキャナ
１１    原稿画像
２０    フィルムプリンタ
３０    印刷機
３１    印刷物
４０    プルーファ
４１    プルーフ画像
１００    パーソナルコンピュータ
１１０    本体装置
１１１    ＦＤ装填口
１１２    ＣＤ−ＲＯＭ装填口
１１３    ＣＰＵ
１１４    主メモリ
１１５    ハードディスク装置
１１６    ＦＤドライバ
１１７    ＣＤ−ＲＯＭドライバ
１１８    Ｉ／Ｏインタフェース
１２０    画像表示装置
１２１    表示画面
１３０    キーボード
１４０    マウス
１５０    バス
２００    色変換装置
２５０    色変換定義
２５１    入力プロファイル
２５２    出力プロファイル
３００    色変換定義作成装置
３１０    基準定義取得部
３２０    出発決定部
３２１    範囲算出部
３２２    対応関数取得部
３２３    成分算出部
３３０    非基本成分算出部
３４０    対応算出部
４００    色変換定義調整装置
５１０    ＦＤ
５２０    ＣＤ−ＲＯＭ
６００    色変換定義作成プログラム
６１０    基準定義取得部
６２０    出発決定部
６２１    範囲算出部
６２２    対応関数取得部
６２３    成分算出部
６３０    非基本成分算出部
６４０    対応算出部
【図１】
2007324860.tif 000003
【図２】
2007324860.tif 000004
【図３】
2007324860.tif 000005
【図４】
2007324860.tif 000006
【図５】
2007324860.tif 000007
【図６】
2007324860.tif 000008
【図７】
2007324860.tif 000009
【図８】
2007324860.tif 000010
【図９】
2007324860.tif 000011
【図１０】
2007324860.tif 000012